(57)【要約】  伝送システム及び無線電力送受信制御方法を提供する。一態様による無線電力受信装置は、無線電力送信装置からウェイクアップ要求信号及び無線電力伝送に関する同期情報を受信し、ウェイクアップ要求信号に対する応答信号を無線電力送信装置に送信するために構成されたターゲット通信部と、同期情報に含まれるタイミング情報に基づいて活性化するために構成された負荷経路スイッチと、負荷経路スイッチが活性化された場合、無線電力送信装置のソース共振器から無線電力を受信するために構成されたターゲット共振器と、を備える。【選択図】図３
2014505460.tif 000002
【特許請求の範囲】
【請求項１】
無線電力送信装置からウェイクアップ要求信号及び無線電力伝送に関する同期情報を受信し、前記ウェイクアップ要求信号に対する応答信号を前記無線電力送信装置に送信するために構成されたターゲット通信部と、
前記同期情報に含まれるタイミング情報に基づいて活性化するために構成された負荷経路スイッチと、
前記負荷経路スイッチが活性化された場合、前記無線電力送信装置のソース共振器から無線電力を受信するために構成されたターゲット共振器と、を備えることを特徴とする無線電力受信装置。
【請求項２】
前記応答信号は、前記無線電力受信装置の識別子情報及び充電レベルに関する情報を含むことを特徴とする請求項１に記載の無線電力受信装置。
【請求項３】
前記ターゲット共振器と負荷との間、又は前記ソース共振器と前記ターゲット共振器との間のインピーダンス整合を行うために構成された整合制御部を更に備えることを特徴とする請求項１に記載の無線電力受信装置。
【請求項４】
前記ターゲット共振器と電力供給部との間に設けられ、前記同期情報に含まれるタイミング情報に基づいて活性化するために構成された共振スイッチを更に備えることを特徴とする請求項１に記載の無線電力受信装置。
【請求項５】
前記無線電力送信装置から無線で受信した電力の電力伝送効率を算出し、前記ターゲット通信部を介して前記電力伝送効率を前記無線電力送信装置に送信するために構成された制御部を更に備えることを特徴とする請求項１に記載の無線電力受信装置。
【請求項６】
前記同期情報に含まれるタイミング情報は、複数の無線電力受信装置のそれぞれに割り当てられた時間区間に関する情報を含み、
前記時間区間は、前記複数の無線電力受信装置のそれぞれの充電レベル、又は前記複数の無線電力受信装置のそれぞれに対する電力伝送効率に基づいて動的に割り当てられることを特徴とする請求項１に記載の無線電力受信装置。
【請求項７】
複数の無線電力受信装置にウェイクアップ要求信号及び無線電力伝送に関する同期情報を送信し、前記複数の無線電力受信装置から前記ウェイクアップ要求信号に対する応答信号を受信するために構成されたソース通信部と、
前記無線電力受信装置に送信される電力を生成するために構成された電力生成部と、
前記生成された電力を複数のターゲット共振器のそれぞれに無線で送信するために構成されたソース共振器と、を備えることを特徴とする無線電力送信装置。
【請求項８】
前記応答信号のそれぞれに含まれる識別子情報に基づいて前記無線電力受信装置の個数を認知し、前記無線電力受信装置の個数に基づいて前記同期情報を生成するために構成された制御部を更に備えることを特徴とする請求項７に記載の無線電力送信装置。
【請求項９】
前記制御部は、前記無線で送信された電力の電力伝送効率をモニタリングし、電力伝送効率のモニタリング結果に基づいて前記ソース共振器の共振周波数を調整するために構成されることを特徴とする請求項８に記載の無線電力送信装置。
【請求項１０】
前記ソース共振器と前記電力生成部との間のインピーダンス整合を行うために構成された整合制御部を更に備えることを特徴とする請求項７に記載の無線電力送信装置。
【請求項１１】
前記同期情報に含まれるタイミング情報は、前記複数の無線電力受信装置のそれぞれに割り当てられた時間区間に関する情報を含み、
前記時間区間は、前記複数の無線電力受信装置のそれぞれの充電レベル、又は前記複数の無線電力受信装置のそれぞれに対する電力伝送効率に基づいて動的に割り当てられることを特徴とする請求項７に記載の無線電力送信装置。
【請求項１２】
無線電力送信装置からウェイクアップ要求信号を受信するステップと、
前記ウェイクアップ要求信号に対する応答信号を前記無線電力送信装置に送信するステップと、
前記無線電力送信装置から無線電力伝送に関する同期情報を受信するステップと、
前記同期情報に含まれるタイミング情報に基づいて負荷又はターゲット共振器の接続をスイッチングするステップと、を有することを特徴とする無線電力受信装置の無線電力受信制御方法。
【請求項１３】
前記応答信号は、前記無線電力受信装置の識別子情報及び充電レベルに関する情報を含むことを特徴とする請求項１２に記載の無線電力受信装置の無線電力受信制御方法。
【請求項１４】
反射波又は負荷のインピーダンス変化を検出し、共振周波数又はインピーダンス整合を制御するステップを更に含むことを特徴とする請求項１２に記載の無線電力受信装置の無線電力受信制御方法。
【請求項１５】
前記同期情報に含まれるタイミング情報は、複数の無線電力受信装置のそれぞれに割り当てられた時間区間に関する情報を含み、
前記時間区間は、前記複数の無線電力受信装置のそれぞれの充電レベル、又は前記複数の無線電力受信装置のそれぞれに対する電力伝送効率に基づいて動的に割り当てられることを特徴とする請求項１２に記載の無線電力受信装置の無線電力受信制御方法。
【請求項１６】
前記ターゲット共振器は、前記負荷又は前記ターゲット共振器の接続がスイッチングされた場合、ソース共振器と電磁結合を形成することを特徴とする請求項１２に記載の無線電力受信装置の無線電力受信制御方法。
【請求項１７】
ウェイクアップ要求信号をブロードキャストするステップと、
複数の無線電力受信装置から前記ブロードキャストされたウェイクアップ要求信号に対する応答信号を受信するステップと、
前記複数の無線電力受信装置に電力を無線で送信するために用いられる同期情報を生成するステップと、
前記同期情報をブロードキャストするステップと、
前記同期情報に含まれるタイミング情報に基づいて、前記複数の無線電力受信装置のそれぞれのターゲット共振器と無線接続を形成し、前記複数のターゲット共振器のそれぞれに電力を無線で送信するステップと、を有することを特徴とする無線電力送信装置の無線電力送信制御方法。
【請求項１８】
前記同期情報を生成するステップは、前記応答信号のそれぞれに含まれる識別子情報に基づいて前記無線電力受信装置の個数を決定し、前記無線電力受信装置の個数に基づいて前記同期情報を生成することを特徴とする請求項１７に記載の無線電力送信装置の無線電力送信制御方法。
【請求項１９】
前記同期情報に含まれるタイミング情報は、前記複数の無線電力受信装置のそれぞれに割り当てられた時間区間に関する情報を含み、
前記時間区間は、前記複数の無線電力受信装置のそれぞれの充電レベル、又は前記複数の無線電力受信装置のそれぞれに対する電力伝送効率に基づいて動的に割り当てられることを特徴とする請求項１７に記載の無線電力送信装置の無線電力送信制御方法。
【請求項２０】
前記同期情報に含まれるタイミング情報は、デューティサイクルタイムに基づいて前記複数の無線電力受信装置のそれぞれに伝達されることを特徴とする請求項１７に記載の無線電力送信装置の無線電力送信制御方法。
【請求項２１】
前記デューティサイクルタイムは、パワーデューティ、位相デューティ、又は周波数デューティを含むことを特徴とする請求項２０に記載の無線電力送信装置の無線電力送信制御方法。
【請求項２２】
無線電力送信装置から信号を受信するステップと、
受信した信号に対する応答信号を前記無線電力送信装置に送信するステップと、
無線電力受信のために用いられる同期情報を前記無線電力送信装置から受信するステップと、を有することを特徴とする無線電力受信方法。
【請求項２３】
前記同期情報に基づいて負荷又はターゲット共振器との無線接続をスイッチングするステップを更に含むことを特徴とする請求項２２に記載の無線電力受信方法。
【請求項２４】
前記応答信号は、前記無線電力受信装置の識別子情報又は充電レベルに関する情報のうちの少なくとも１つを含むことを特徴とする請求項２２に記載の無線電力受信方法。
【発明の詳細な説明】
【技術分野】
【０００１】
本発明は、無線電力送信及び受信に関する。
【背景技術】
【０００２】
無線電力は、例えば電磁結合によって無線電力送信装置から無線電力受信装置に伝送されるエネルギーを意味する。従って、無線電力伝送システムは、電力を無線で送信するソース電子機器と電力を無線で受信するターゲット電子機器を含む。例えば、ソース電子機器は無線電力送信装置と称される。また、ターゲット電子機器は無線電力受信装置と称される。
【０００３】
ソース電子機器はソース共振器（ｓｏｕｒｃｅ  ｒｅｓｏｎａｔｏｒ）を備え、ターゲット電子機器はターゲット共振器（ｔａｒｇｅｔ  ｒｅｓｏｎａｔｏｒ）を備える。ソース共振器とターゲット共振器との間に電磁結合又は共振カップリングが形成される。無線環境の特性上、ソース共振器とターゲット共振器との間の距離が時間に応じて変化する可能性が高く、両共振器間の整合条件も変化し得る。
【発明の概要】
【発明が解決しようとする課題】
【０００４】
本発明は、上記従来の問題点に鑑みてなされたものであって、本発明の目的は、無線電力送受信装置及びその無線電力送受信制御方法、並びに無線電力受信方法を提供することにある。
【課題を解決するための手段】
【０００５】
上記目的を達成するためになされた本発明の一態様による無線電力受信装置は、無線電力送信装置からウェイクアップ要求信号及び無線電力伝送に関する同期情報を受信し、前記ウェイクアップ要求信号に対する応答信号を前記無線電力送信装置に送信するために構成されたターゲット通信部と、前記同期情報に含まれるタイミング情報に基づいて活性化するために構成された負荷経路スイッチと、前記負荷経路スイッチが活性化された場合、前記無線電力送信装置のソース共振器から無線電力を受信するために構成されたターゲット共振器と、を備える。
【０００６】
前記応答信号は、前記無線電力受信装置の識別子情報及び充電レベルに関する情報を含み得る。
前記無線電力受信装置は、前記ターゲット共振器と負荷との間、又は前記ソース共振器と前記ターゲット共振器との間のインピーダンス整合を行うために構成された整合制御部を更に備えることができる。
前記無線電力受信装置は、前記ターゲット共振器と電力供給部との間に設けられ、前記同期情報に含まれるタイミング情報に基づいて活性化するために構成された共振スイッチを更に備えることができる。
前記無線電力受信装置は、前記無線電力送信装置から無線で受信した電力の電力伝送効率を算出し、前記ターゲット通信部を介して前記電力伝送効率を前記無線電力送信装置に送信するために構成された制御部を更に備えることができる。
前記同期情報に含まれるタイミング情報は、複数の無線電力受信装置のそれぞれに割り当てられた時間区間に関する情報を含み、前記時間区間は、前記複数の無線電力受信装置のそれぞれの充電レベル、又は前記複数の無線電力受信装置のそれぞれに対する電力伝送効率に基づいて動的に割り当てられ得る。
【０００７】
上記目的を達成するためになされた本発明の一態様による無線電力送信装置は、複数の無線電力受信装置にウェイクアップ要求信号及び無線電力伝送に関する同期情報を送信し、前記複数の無線電力受信装置から前記ウェイクアップ要求信号に対する応答信号を受信するために構成されたソース通信部と、前記無線電力受信装置に送信される電力を生成するために構成された電力生成部と、前記生成された電力を前記複数のターゲット共振器のそれぞれに無線で送信するために構成されたソース共振器と、を備える。
【０００８】
前記無線電力送信装置は、前記応答信号のそれぞれに含まれる識別子情報に基づいて前記無線電力受信装置の個数を認知し、前記無線電力受信装置の個数に基づいて前記同期情報を生成するために構成された制御部を更に備えることができる。
前記制御部は、前記無線で送信された電力の電力伝送効率をモニタリングし、電力伝送効率のモニタリング結果に基づいて前記ソース共振器の共振周波数を調整するために構成され得る。
前記無線電力送信装置は、前記ソース共振器と前記電力生成部との間のインピーダンス整合を行うために構成された整合制御部を更に備えることができる。
前記同期情報に含まれるタイミング情報は、前記複数の無線電力受信装置のそれぞれに割り当てられた時間区間に関する情報を含み、前記時間区間は、前記複数の無線電力受信装置のそれぞれの充電レベル、又は前記複数の無線電力受信装置のそれぞれに対する電力伝送効率に基づいて動的に割り当てられ得る。
【０００９】
上記目的を達成するためになされた本発明の一態様による無線電力受信装置の無線電力受信制御方法は、無線電力送信装置からウェイクアップ要求信号を受信するステップと、前記ウェイクアップ要求信号に対する応答信号を前記無線電力送信装置に送信するステップと、前記無線電力送信装置から無線電力伝送に関する同期情報を受信するステップと、前記同期情報に含まれるタイミング情報に基づいて負荷又はターゲット共振器の接続をスイッチングするステップと、を有する。
【００１０】
前記応答信号は、前記無線電力受信装置の識別子情報及び充電レベルに関する情報を含み得る。
前記無線電力受信装置の無線電力受信制御方法は、反射波又は負荷のインピーダンス変化を検出し、共振周波数又はインピーダンス整合を制御するステップを更に含むことができる。
前記同期情報に含まれるタイミング情報は、複数の無線電力受信装置のそれぞれに割り当てられた時間区間に関する情報を含み、前記時間区間は、前記複数の無線電力受信装置のそれぞれの充電レベル、又は前記複数の無線電力受信装置のそれぞれに対する電力伝送効率に基づいて動的に割り当てられ得る。
前記ターゲット共振器は、前記負荷又は前記ターゲット共振器の接続がスイッチングされた場合、ソース共振器と電磁結合を形成し得る。
【００１１】
上記目的を達成するためになされた本発明の一態様による無線電力送信装置の無線電力送信制御方法は、ウェイクアップ要求信号をブロードキャストするステップと、複数の無線電力受信装置から前記ブロードキャストされたウェイクアップ要求信号に対する応答信号を受信するステップと、前記複数の無線電力受信装置に電力を無線で送信するために用いられる同期情報を生成するステップと、前記同期情報をブロードキャストするステップと、前記同期情報に含まれるタイミング情報に基づいて、前記複数の無線電力受信装置のそれぞれのターゲット共振器と無線接続を形成し、前記複数のターゲット共振器のそれぞれに電力を無線で送信するステップと、を有する。
【００１２】
前記同期情報を生成するステップは、前記応答信号のそれぞれに含まれる識別子情報に基づいて前記無線電力受信装置の個数を決定し、前記無線電力受信装置の個数に基づいて前記同期情報を生成し得る。
前記同期情報に含まれるタイミング情報は、前記複数の無線電力受信装置のそれぞれに割り当てられた時間区間に関する情報を含み、前記時間区間は、前記複数の無線電力受信装置のそれぞれの充電レベル、又は前記複数の無線電力受信装置のそれぞれに対する電力伝送効率に基づいて動的に割り当てられ得る。
前記同期情報に含まれるタイミング情報は、デューティサイクルタイムに基づいて前記複数の無線電力受信装置のそれぞれに伝達され得る。
前記デューティサイクルタイムは、パワーデューティ、位相デューティ、又は周波数デューティを含み得る。
【００１３】
上記目的を達成するためになされた本発明の一態様による無線電力受信方法は、無線電力送信装置から信号を受信するステップと、受信した信号に対する応答信号を前記無線電力送信装置に送信するステップと、無線電力受信のために用いられる同期情報を前記無線電力送信装置から受信するステップと、を有する。
【００１４】
前記無線電力受信方法は、前記同期情報に基づいて負荷又はターゲット共振器との無線接続をスイッチングするステップを更に含むことができる。
前記応答信号は、前記無線電力受信装置の識別子情報又は充電レベルに関する情報のうちの少なくとも１つを含み得る。
【発明の効果】
【００１５】
本発明によれば、時分割方式の無線電力送信によって複数の電子機器に電力を効率的に送信することができる。また、複数の電子機器に無線で電力を送信する際に負荷の変化に拘らず一定電力の送信を提供することが可能になる。従って、複数の電子機器に無線で電力を送信する際の電力損失を最小化することができる。
【図面の簡単な説明】
【００１６】
【図１】無線電力送信装置を示す構成図である。
【図２】無線電力受信装置を示す構成図である。
【図３】複数のターゲット電子機器が存在する環境を示す図である。
【図４Ａ】図３に示した環境でソース電子機器及びターゲット電子機器の動作タイミングを示す図である。
【図４Ｂ】タイミング情報伝達方法を示す図である。
【図４Ｃ】タイミング情報伝達方法を示す図である。
【図４Ｄ】タイミング情報伝達方法を示す図である。
【図５】図３に示した環境でソース電子機器及びターゲット電子機器の動作を説明するための図である。
【図６】無線電力受信装置の無線電力受信制御方法を示すフローチャートである。
【図７】無線電力送信装置の無線電力送信制御方法を示すフローチャートである。
【図８】共振器の実施形態を示す図である。
【図９】共振器の実施形態を示す図である。
【図１０】共振器の実施形態を示す図である。
【図１１】共振器の実施形態を示す図である。
【図１２】共振器の実施形態を示す図である。
【図１３】共振器の実施形態を示す図である。
【図１４Ａ】共振器の実施形態を示す図である。
【図１４Ｂ】共振器の実施形態を示す図である。
【図１５】図８に示した共振器の等価回路を示す回路図である。
【発明を実施するための形態】
【００１７】
以下、本発明を実施するための形態の具体例を、図面を参照しながら詳細に説明する。
【００１８】
図１〜図３を参照して、無線電力送信及び受信について説明する。図１は、無線電力送信装置の構成を示す。図２は、無線電力受信装置の構成を示す。図３は、複数のターゲット電子機器が存在する環境を示す。
【００１９】
図１を参照すると、無線電力送信装置１００は、ソース通信部１１０、電力生成部１２０、ソース共振器１３０、制御部１４０を備える。また、無線電力送信装置１００は、整合制御部１５０、整流部１６０、定電圧制御部１７０、及び検出部１８０を更に備える。
【００２０】
図２を参照すると、無線電力受信装置２００は、ターゲット通信部２１０、ターゲット共振器２２０、負荷経路スイッチ２６０、及び電力供給部２５０を備える。また、無線電力受信装置２００は、共振スイッチ２３０、整合制御部２４０、及び制御部２７０を更に備える。
【００２１】
図３を参照すると、無線電力送信装置１００は、１つ又はそれ以上の複数の無線電力受信装置、例えば第１無線電力受信装置２００ａ、第２無線電力受信装置２００ｂ、第３無線電力受信装置２００ｃのそれぞれに時分割方式で無線電力を送信する。実施例において、複数の無線電力受信装置のそれぞれはターゲット共振器を備える。
【００２２】
無線電力送信装置１００のソース通信部１１０は、１つ又はそれ以上の無線電力受信装置２００ａ、２００ｂ、２００ｃにウェイクアップ要求信号及び無線電力伝送に関する同期情報を送信するように構成される。また、ソース通信部１１０は、複数の無線電力受信装置からウェイクアップ要求信号に対する応答信号を受信する。一実施形態において、ソース通信部１１０は、共振周波数によって無線電力受信装置２００とデータを送受信するイン−バンド通信、及びデータ通信のために割り当てられた周波数によって無線電力受信装置２００とデータを送受信するアウト−バンド通信を行うように構成される。例えば、ウェイクアップ要求信号は、無線電力送信のカバレッジ内にある電子機器に識別子情報を要求する信号である。無線電力送信装置１００は、ウェイクアップ要求信号の送信と同時に所定レベルの電力を無線で送信することで、ウェイクアップ要求信号を受信した電子機器が活性化モードに転換されるように構成される。例えば、無線電力伝送に関する同期情報は、負荷又はターゲット共振器の接続をオン／オフするために用いられるタイミング情報を含む。同期情報については図４を参照して説明する。
【００２３】
無線電力送信装置１００の電力生成部１２０は、無線電力受信装置に送信される電力を生成するように構成される。電力生成部１２０は、制御部１４０の制御により電力を生成する。電力生成部１２０は、例えば数ＭＨｚ〜数十ＭＨｚ帯域のスイッチングパルス信号によって所定レベルの直流（ＤＣ）を交流（ＡＣ）に変換することで電力を生成する。勿論、他のＡＣ信号周波数も可能である。従って、電力生成部１２０は、ＡＣ／ＤＣインバータを含む。例えば、所定レベルのＤＣ電力は、定電圧制御部１７０から提供される。一実施形態において、ＡＣ／ＤＣインバータは、高速スイッチングのためのスイッチング素子を更に含む。例えば、スイッチング素子は、スイッチングパルス信号が「ｈｉｇｈ」であるときにターンオンされ、スイッチングパルス信号が「ｌｏｗ」であるときにターンオフされるよう構成される。
【００２４】
スイッチ又はスイッチング素子のスイッチ構成要素は、多様な電気機械式（ｅｌｅｃｔｒｏｍｅｃｈａｎｉｃａｌ）スイッチ（例えば、接触、トグル、ナイフ（ｋｎｉｆｅ）、チルトなど）又は電気的スイッチ（例えば、ソレノイド、リレー、又はトランジスタスイッチのようなソリッド−ステート構成要素、シリコン制御整流器又はトライアック）を含む。勿論、他のタイプのスイッチも可能である。多様な実施形態において、スイッチは活性化されるように構成される。例えば、スイッチはそれぞれ電気（電力）の流れを許容するか又は防ぐオン又はオフポジションを選択する。従って、スイッチ制御は電気的な接続を制御する。
【００２５】
また、電力生成部１２０は、制御部１４０の制御により、予め設定された共振周波数で時間区間のそれぞれで可変される電力を生成する。更に、電力生成部１２０は、制御部１４０の制御により電力伝送効率が最適になる共振周波数を用いて電力を生成する。従って、ソース共振器１３０は、電力送信効率が最適になる共振周波数を用いて生成された電力を無線電力受信装置２００に無線で送信する。
【００２６】
無線電力送信装置１００のソース共振器１３０は、電磁気エネルギーをターゲット共振器２２０に伝達するように構成される。ソース共振器１３０は、ターゲット共振器２２０との電磁結合によって共振電力を無線電力受信装置２００に伝達する。例えば、ソース共振器１３０は、予め設定された共振帯域幅内で共振するように構成される。一実施形態において、ソース共振器１３０は、複数の無線電力受信装置のそれぞれのターゲット共振器と電磁結合を形成し、生成された電力を複数のターゲット共振器に無線で送信する。
【００２７】
無線電力送信装置１００の制御部１４０は、応答信号のそれぞれに含まれる識別子情報に基づいて無線電力受信装置の個数を認知し、無線電力受信装置の個数に基づいて同期情報を生成するように構成される。また、制御部１４０は、無線で送信される電力の電力伝送効率をモニタリングし、電力伝送効率のモニタリング結果に基づいてソース共振器１３０の共振周波数を調整する。例えば、電力伝送効率に関する情報は無線電力受信装置２００から受信される。制御部１４０は、少なくとも１つのプロセッサを含む。
【００２８】
無線電力送信装置１００の整合制御部１５０は、ソース共振器１３０と電力生成部１２０との間のインピーダンス整合を行うように構成される。整合制御部１５０は、ソース共振器１３０のインピーダンスを調整する。即ち、整合制御部１５０は、制御部１４０の制御によりソース共振器１３０のインピーダンスを調整する。
【００２９】
整流部１６０は、例えば数十Ｈｚ帯域のＡＣ電圧を整流してＤＣ電圧を生成する。
【００３０】
無線電力送信装置１００の定電圧制御部１７０は、整流部１６０からＤＣ電圧の入力を受け、制御部１４０の制御により所定レベルのＤＣ電圧を出力するように構成される。定電圧制御部１７０は、所定レベルのＤＣ電圧を出力するために用いられる安定化回路を含む。
【００３１】
無線電力送信装置１００の検出部１８０は、無線電力受信装置２００を検出するように構成される。検出部１８０は、無線電力受信装置２００から受信した識別子に基づいて無線電力受信装置２００を検出する。無線電力受信装置２００は電力の受信が必要な場合に識別子を無線電力送信装置１００に送信し、検出部１８０は識別子が受信されると無線電力受信装置２００が存在することを認知する。また、複数の無線電力受信装置のそれぞれの識別子が受信された場合、検出部１８０は、複数の無線電力受信装置のそれぞれを認知する。
【００３２】
無線電力受信装置２００のターゲット通信部２１０は、無線電力送信装置１００からウェイクアップ要求信号及び無線電力伝送に関する同期情報を受信し、ウェイクアップ要求信号に対する応答信号を無線電力送信装置１００に送信するように構成される。例えば、応答信号は、無線電力受信装置２００の識別子情報及び充電レベルに関する情報を含む。充電レベルに関する情報は、例えば負荷で必要な電力量又はバッテリの残存電流量に関する情報を含む。
【００３３】
ターゲット通信部２１０は、制御部２７０の制御によりソース通信部１１０とデータを送受信するように構成される。ターゲット通信部２１０は、無線電力送信装置１００に識別子を送信する。ターゲット通信部２１０は、無線電力送信装置１００から送信される電力量に関する情報を受信するように構成される。また、ターゲット通信部２１０は、電力伝送効率に関する情報を無線電力送信装置１００に送信するように構成される。ターゲット通信部２１０は、無線電力送信装置１００のソース通信部１１０と同様に、イン−バンド通信及びアウト−バンド通信を行うように構成される。
【００３４】
ターゲット通信部２１０は、無線電力伝送に関する同期情報を１つ以上の他の無線電力受信装置、例えば第２無線電力受信装置２００ｂ及び第３無線電力受信装置２００ｃに送信するように構成される。従って、無線電力伝送に関する同期情報は、複数の無線電力送信装置、例えば第１無線電力受信装置２００ａ、第２無線電力受信装置２００ｂ、及び第３無線電力受信装置２００ｃによって共有される。
【００３５】
無線電力受信装置２００のターゲット共振器２２０は、負荷経路スイッチ２６０がオンである場合に無線電力送信装置１００のソース共振器１３０と電磁結合を形成するように構成される。スイッチ又は負荷経路スイッチ２６０のスイッチ構成要素は、多様な電気機械式スイッチ（例えば、接触、トグル、ナイフ、チルトなど）又は電気的スイッチ（例えば、ソレノイド、リレー、又はトランジスタスイッチのようなソリッド−ステート構成要素、シリコン制御整流器又はトライアック）を含む。勿論、他のタイプのスイッチも可能である。多様な実施形態において、スイッチは活性化されるように構成される。例えば、スイッチはそれぞれ電気（電力）の流れを許容するか又は防ぐオン又はオフポジションを選択する。従って、スイッチ制御は電気的接続を制御する。負荷経路スイッチ２６０がターンオンされると、負荷２８０が無線電力受信装置２００で接続されて、ターゲット共振器２２０はソース共振器１３０と電磁結合により電気的に接続される。また、負荷経路スイッチ２６０がターンオフされると、ターゲット共振器２２０はソース共振器１３０との電磁結合を電気的に非活性化するか又はスイッチオフする。例えば、負荷２８０は、バッテリ、電力を消耗する回路、又は無線電力受信装置２００に着脱可能な外部装置である。
【００３６】
無線電力受信装置２００の負荷経路スイッチ２６０は、同期情報に含まれるタイミング情報に基づいてターンオン／オフされるように構成される。負荷経路スイッチ２６０は、制御部２７０の制御によってターンオン／オフされる。制御部２７０は、同期情報に含まれるタイミング情報により負荷経路スイッチ２６０のオン／オフを制御する。一方、負荷経路スイッチ２６０は、ランダムにターンオン／オフされ、タイミング情報に応じてターンオン／オフされずに負荷２８０に電力を伝達する。
【００３７】
電力供給部２５０は、無線電力送信装置から無線で受信した電力を負荷２８０に提供するように構成される。電力供給部２５０は、ＡＣ電圧を整流することでＤＣ電圧を生成する整流部２５１、及び整流部２５１から出力されたＤＣ電圧のレベルを調整して負荷２８０で用いられるＤＣ電圧を生成するＤＣ／ＤＣコンバータ２５３を含む。
【００３８】
共振スイッチ２３０は、ターゲット共振器２２０と電力供給部２５０との間に位置する。共振スイッチ２３０は、同期情報に含まれるタイミング情報に基づいてターンオン／オフされる。負荷経路スイッチ２６０がオン状態で保持される場合、制御部２７０は同期情報に含まれるタイミング情報によって共振スイッチ２３０のターンオン／オフを制御する。スイッチ又は共振スイッチ２３０のスイッチ構成要素は、多様な電気機械式スイッチ（例えば、接触、トグル、ナイフ、チルトなど）又は電気的スイッチ（例えば、ソレノイド、リレー、又はトランジスタスイッチのようなソリッド−ステート構成要素、シリコン−コントロール整流器又はトライアック）を含む。勿論、他のタイプのスイッチも可能である。多様な実施形態において、スイッチは活性化されるように構成される。例えば、スイッチは、それぞれ電気（電力）の流れを許容するか又は防ぐオン又はオフポジションを選択する。従って、スイッチ制御は電気的な接続を制御する。
【００３９】
整合制御部２４０は、ターゲット共振器２２０と負荷２８０との間、又はソース共振器１３０とターゲット共振器２２０との間のインピーダンス整合を行うように構成される。そして、整合制御部２４０は、反射波を検出するか又は負荷２８０のインピーダンス変化を検出することによってインピーダンス整合を行うか否かを判断するように構成される。
【００４０】
制御部２７０は、無線電力送信装置１００から無線で受信した電力の電力伝送効率を算出するように構成される。無線電力送信装置１００が送信電力量Ｐｔをブロードキャストすると、制御部２７０はＰｔと受信電力量Ｐｒの比率を算出することによって電力伝送効率を算出する。制御部２７０は、電力伝送効率を周期的に算出し、ターゲット通信部２１０を介して電力伝送効率に関する情報を無線電力送信装置１００に送信する。
【００４１】
一実施形態において、制御部２７０は、負荷２８０の状態をチェックし、負荷２８０の充電が完了すると、負荷２８０の充電が完了したことを無線電力送信装置１００に通知する。
【００４２】
図３を参照すると、無線電力送信装置１００は、ステップ３１０において、複数の無線電力受信装置にウェイクアップ要求信号を送信する。図示したように、ステップ３１０における複数の無線電力受信装置は、第１無線電力受信装置２００ａ、第２無線電力受信装置２００ｂ、及び第３無線電力受信装置２００ｃを含む。
【００４３】
ウェイクアップ要求信号の受信に応答して、第１無線電力受信装置２００ａは、ステップ３２０において、無線電力送信装置１００に応答信号を送信する。例えば、応答信号は、第１無線電力受信装置２００ａの識別子情報ＩＤ１を含む。従って、無線電力送信装置１００は、第１無線電力受信装置２００ａが無線電力送信カバレッジ内に存在することを認知する。
【００４４】
同様に、ウェイクアップ要求信号の受信に応答して、第２無線電力受信装置２００ｂは、ステップ３３０において、無線電力送信装置１００に応答信号を送信する。例えば、応答信号は、第２無線電力受信装置２００ｂの識別子情報ＩＤ２を含む。従って、無線電力送信装置１００は、第２無線電力受信装置２００ｂが無線電力送信カバレッジ内に存在することを認知する。
【００４５】
そして、ウェイクアップ要求信号の受信に応答して、第３無線電力受信装置２００ｃは、ステップ３４０において、無線電力送信装置１００に応答信号を送信する。例えば、応答信号は、第３無線電力受信装置２００ｃの識別子情報ＩＤ３を含む。従って、無線電力送信装置１００は、第３無線電力受信装置２００ａが無線電力送信カバレッジ内に存在することを認知する。
【００４６】
第１、第２、及び第３無線電力受信装置２００ａ、２００ｂ、及び２００ｃから応答信号を受信すると、ステップ３１０〜ステップ３４０を通じて、無線電力送信装置１００は、無線電力送信カバレッジ内に３つのターゲット電子機器が存在することを認知する。そして、無線電力送信装置１００は、３つのターゲット電子機器に時分割方式で電力を送信するために用いられるタイムスロットを割り当てる。例えば、タイムスロットは同期情報に含まれるタイミング情報である。タイミング情報によって１つ以上の無線電力受信装置は、負荷の接続をターンオン／オフさせるタイムスロットを把握する。
【００４７】
図４Ａは、図３に示した環境でソース電子機器及びターゲット電子機器の動作タイミングを示す。
【００４８】
図４Ａにおいて、４１０は無線電力送信タイミングを示す。図４Ａに示すように、無線電力送信装置１００は図４Ａに示した時間区間の間に電力送信状態を保持する。
【００４９】
そして、４２０は無線電力送信装置１００のデータ送信タイミングを示す。４０１時間区間で無線電力送信装置１００はウェイクアップ要求信号をブロードキャストする。４０３時間区間で、無線電力送信装置１００はウェイクアップ要求信号に対する応答信号のために待機する。無線電力送信装置１００は、４０３時間区間で、無線電力受信装置、例えば第１無線電力受信装置２００ａ、第２無線電力受信装置２００ｂ、及び第３無線電力受信装置２００ｃから応答信号を受信する。４０５時間区間で、無線電力送信装置１００は同期情報をブロードキャストする。従って、無線電力受信装置のそれぞれは、４１９時間区間で同期情報を受信する。４０７時間区間で、無線電力送信装置１００は、同期情報を受信した無線電力受信装置のそれぞれから、同期情報を受信したことを示す１つ以上のＡＣＫメッセージを受信する。４０９時間区間で無線電力送信装置１００はウェイクアップ要求信号を周期的にブロードキャストする。無線電力送信装置１００は、無線電力カバレッジ内に新しいターゲット電子機器が登場するか否かを判断するために、ウェイクアップ要求信号を周期的にブロードキャストする。
【００５０】
４３０は第１無線電力受信装置２００ａの動作タイミングを示す。４１３時間区間で、第１無線電力受信装置２００ａは、ウェイクアップ要求信号に対する応答信号を無線電力送信装置１００に送信する。４２１時間区間で、第１無線電力受信装置２００ａは、同期情報を正しく受信したことを示すＡＣＫメッセージを無線電力送信装置１００に送信する。同期情報に含まれるタイミング情報の例は、４５１、４１１、及び４５３の通りである。一実施形態において、タイミング情報４５１は、識別子ＩＤ１の場合、４３１時間区間でターンオン、４３３及び４３５時間区間でターンオフすることを示す。従って、第１無線電力受信装置２００ａは、４３１で負荷の接続をターンオンさせることで電力を無線で受信する。
【００５１】
４４０は第２無線電力受信装置２００ｂの動作タイミングを示す。４１５時間区間で、第２無線電力受信装置２００ｂは、ウェイクアップ要求信号に対する応答信号を無線電力送信装置１００に送信する。４２３時間区間で、第２無線電力受信装置２００ｂは、同期情報を正しく受信したことを示すＡＣＫメッセージを無線電力送信装置１００に送信する。例えば、タイミング情報４５１は、識別子ＩＤ２の場合、４４１及び４４５時間区間でターンオフ、４３３時間区間でターンオンすることを示す。従って、第２無線電力受信装置２００ｂは、４４３で負荷の接続をターンオンさせることで電力を無線で受信する。
【００５２】
４５０は第３無線電力受信装置２００ｃの動作タイミングを示す。４１７時間区間で、第３無線電力受信装置２００ｃは、ウェイクアップ要求信号に対する応答信号を無線電力送信装置１００に送信する。４２５時間区間で、第３無線電力受信装置２００ｃは、同期情報を正しく受信したことを示すＡＣＫメッセージを無線電力送信装置１００に送信する。第３無線電力受信装置２００ｃも同期情報に含まれるタイミング情報によって負荷の接続をオン／オフする。
【００５３】
図４Ａに示すように、同期情報に含まれるタイミング情報は、複数の無線電力受信装置のそれぞれに割り当てられたオン／オフ時間区間に関する情報を含む。
【００５４】
複数の無線電力受信装置のそれぞれに割り当てられたオン／オフ時間区間は、複数の無線電力受信装置のそれぞれの充電レベル、又は複数の無線電力受信装置のそれぞれに対する電力伝送効率に基づいて動的に割り当てられる。例えば、第１無線電力受信装置２００ａの電力伝送効率が第２無線電力受信装置２００ｂよりも優る場合、４３１時間区間は４３３時間区間又は４３５時間区間より長く設定される。また、第１無線電力受信装置２００ａの充電レベルが第２無線電力受信装置２００ｂの充電レベルより低い場合にも、４３１時間区間は４３３時間区間又は４３５時間区間より長く設定される。例えば、充電レベルが低いということは必要とされる電力量が相対的に多いことを意味する。
【００５５】
図４Ｂ〜図４Ｄは、タイミング情報伝達方法を示す。
【００５６】
図４Ｂ〜図４Ｄを参照すると、同期情報に含まれるタイミング情報は、デューティサイクルタイムに基づいて、１つ又はそれ以上の複数の無線電力受信装置、例えば第１無線電力受信装置２００ａ、第２無線電力受信装置２００ｂ、及び第３無線電力受信装置２００ｃに伝達される。例えば、デューティサイクルタイムとしては、図４Ｂに示すパワーデューティ、図４Ｃに示す位相デューティ、又は図４Ｄに示す周波数デューティが用いられる。
【００５７】
無線電力送信装置１００は、イン−バンド通信方式によって図４Ｂに示すような信号をブロードキャストする。４６１は同期信号のタイミング情報が送信される区間であることを複数の無線電力受信装置に知らせる区間であり、４６２及び４６５は第１無線電力受信装置２００ａに割り当てられるタイムスロット、４６３及び４６６は第２無線電力受信装置２００ｂに割り当てられるタイムスロット、４６４及び４６７は第３無線電力受信装置２００ｃに割り当てられるタイムスロットを示す。
【００５８】
無線電力送信装置１００は、イン−バンド通信方式によって図４Ｃに示すような信号をブロードキャストする。図４Ｃに示した信号は、位相が予め設定された時間単位で変わる信号である。４７１は第１無線電力受信装置２００ａに割り当てられるタイムスロットを示し、４７３は第２無線電力受信装置２００ｂに割り当てられるタイムスロットを示す。
【００５９】
無線電力送信装置１００は、イン−バンド通信方式によって図４Ｄに示すような信号をブロードキャストする。図４Ｄに示した信号は、周波数が予め設定された時間単位で変わる信号である。４８１は同期信号のタイミング情報が送信される区間であることを複数の無線電力受信装置に知らせる区間であり、４８３は第１無線電力受信装置２００ａに割り当てられるタイムスロット、４８５は第２無線電力受信装置２００ｂに割り当てられるタイムスロット、４８７は第３無線電力受信装置２００ｃに割り当てられるタイムスロットを示す。一方、４８３と４８５との間に信号の送信がない区間が挿入されてもよく、４８５と４８７との間に信号の送信がない区間が挿入されてもよい。
【００６０】
図５は、図３に示した環境でソース電子機器及びターゲット電子機器の動作を説明するための図である。
【００６１】
図５を参照すると、ステップ５１０において、第１無線電力受信装置２００ａは、これ以上電力を受信する必要がないことを無線電力送信装置１００に知らせる。例えば、バッテリ充電が完了するか又は負荷の接続が必要でない場合、電力を受信する必要がない。ステップ５２０において、無線電力送信装置１００は、２つの無線電力受信装置、例えば第２無線電力受信装置２００ｂ及び第３無線電力受信装置２００ｃのための同期情報をブロードキャストする。例えば、２つの無線電力受信装置のための同期情報は、図４Ａの４５１時間区間とは異なり、２つのタイムスロットを含む。ステップ５３０において、第２無線電力受信装置２００ｂは、同期情報を正しく受信したことを示すＡＣＫメッセージを無線電力送信装置１００に送信する。ステップ５４０において、第３無線電力受信装置２００ｃは、同期情報を正しく受信したことを示すＡＣＫメッセージを無線電力送信装置１００に送信する。ステップ５４０の後、２つの無線電力受信装置のそれぞれは、同期情報に基づいて当該タイムスロットで負荷の接続をターンオンし、そして無線で電力を受信する。
【００６２】
１つの無線電力送信フレームが終了した後、ステップ５５０において、新しい無線電力送信フレームを開始するための準備を行う。ステップ５５０において、無線電力送信装置１００はウェイクアップ要求信号をブロードキャストする。例えば、無線電力送信装置１００の電力送信カバレッジ内に第４無線電力受信装置２００ｄが新しく登場したものと仮定する。
【００６３】
ステップ５６１、５６３、５６５において、複数の無線電力受信装置、例えば第２無線電力受信装置２００ｂ、第３無線電力受信装置２００ｃ、及び第４無線電力受信装置２００ｄは、それぞれウェイクアップ要求信号に対する応答信号を無線電力送信装置１００に送信する。ステップ５７０において、無線電力送信装置１００及び複数の無線電力受信装置は、図４Ａを参照して説明した方式と同一の方法で作動する。
【００６４】
図６は、無線電力受信装置の無線電力受信制御方法を示す。
【００６５】
図６に示した無線電力受信制御方法は無線電力受信装置２００によって行われる。
【００６６】
図６を参照すると、ステップ６１０において、無線電力受信装置２００は無線電力送信装置１００からウェイクアップ要求信号を受信する。
【００６７】
ステップ６２０において、無線電力受信装置２００はウェイクアップ要求信号に対する応答信号を無線電力送信装置１００に送信する。
【００６８】
ステップ６３０において、無線電力受信装置２００は無線電力送信装置１００から無線電力伝送に関する同期情報を受信する。
【００６９】
ステップ６４０において、無線電力受信装置２００は同期情報に含まれるタイミング情報に基づいて負荷又はターゲット共振器の接続をターンオン／オフする。負荷又はターゲット共振器の接続がターンオンされた場合、ターゲット共振器２２０は、ソース共振器と電磁結合を形成することによって電力を無線で受信する。
【００７０】
ステップ６５０において、無線電力受信装置２００は、反射波又は負荷のインピーダンス変化を検出し、共振周波数又はインピーダンス整合を制御する。この例で、反射波を検出する場合、無線電力受信装置２００は、予め設定された他の周波数に共振周波数を変更するか、又は無線電力送信装置１００とのメッセージ交換によって共振周波数を変更する。また、無線電力受信装置２００は、負荷のインピーダンス変化を検出する場合、ターゲット共振器２２０のインピーダンスを調整することでインピーダンス整合を遂行する。
【００７１】
ステップ６６０において、無線電力受信装置２００は電力受信を継続するか否かを判断する。無線電力受信装置２００は、負荷２８０に含まれるバッテリの充電が完了すると、これ以上電力受信が必要ではないと判断する。電力受信が続けて必要な場合、無線電力受信装置２００はステップ６４０を再び遂行する。他の実施形態において、無線電力受信装置２００は図４Ａの４３０の動作タイミングに基づいて無線電力送信フレームを繰り返し行ってもよい。
【００７２】
図７は、無線電力送信装置の無線電力送信制御方法を示す。
【００７３】
図７に示した無線電力送信制御方法は無線電力送信装置１００によって行われる。
【００７４】
図７を参照すると、ステップ７１０において、無線電力送信装置１００はウェイクアップ要求信号をブロードキャストする。
【００７５】
ステップ７２０において、無線電力送信装置１００は複数の無線電力受信装置、例えば第１無線電力受信装置２００ａ、第２無線電力受信装置２００ｂ、及び第３無線電力受信装置２００ｃのそれぞれからウェイクアップ要求信号に対する応答信号を受信する。
【００７６】
ステップ７３０において、無線電力送信装置１００は、複数の無線電力受信装置に電力を無線で送信するために用いられる同期情報を生成する。例えば、無線電力送信装置１００は、応答信号のそれぞれに含まれる識別子情報に基づいて無線電力受信装置の個数を認知し、無線電力受信装置の個数に基づいて同期情報を生成する。そして、例えば無線電力受信装置の個数が３である場合、３つの無線電力受信装置がタイムスロットに割り当てられる。
【００７７】
ステップ７４０において、無線電力送信装置１００は同期情報をブロードキャストする。
【００７８】
ステップ７５０において、無線電力送信装置１００は、同期情報に含まれるタイミング情報に基づいて、複数の無線電力受信装置のそれぞれのターゲット共振器と無線接続（例えば電磁結合）を形成する。無線電力送信装置１００は、該当する無線接続（例えば、電磁結合）が形成された時間区間で１つ又はそれ以上の複数のターゲット共振器に電力を無線で送信する。
【００７９】
ステップ７６０において、無線電力送信装置１００は電力送信を継続するか否かを判断する。無線電力送信装置１００の電力送信カバレッジ内にターゲット電子機器が存在しない場合、無線電力送信装置１００は電力送信がこれ以上必要ないと判断する。無線電力送信が続けて必要な場合、例えば無線電力送信装置１００はステップ７１０〜ステップ７５０を繰り返し行う。
【００８０】
ソース共振器及び／又はターゲット共振器は、ヘリックス（ｈｅｌｉｘ）コイル構造の共振器、スパイラル（ｓｐｉｒａｌ）コイル構造の共振器、メタ構造（ｍｅｔａ−ｓｔｒｕｃｔｕｒｅｄ）の共振器などで構成される。
【００８１】
自然界に存在する多くの物質の電磁気特性は、固有の透磁率又は誘電率を有し、大部分の物質で正の透磁率又は正の誘電率を有する。これにより、大部分の物質で、電界、磁界、及びポインティングベクトルに対して右手法則が適用されるため、このような物質をＲＨＭ（Ｒｉｇｈｔ  Ｈａｎｄｅｄ  Ｍａｔｅｒｉａｌ）という。
【００８２】
一方、自然界で存在しない人工的に設計された（又は人が製造した）磁気透磁率又は誘電率を有する物質を「メタ物質」という。メタ物質は、該当する磁気透磁率又は誘電率に基づいてＥＮＧ（ｅｐｓｉｌｏｎ  ｎｅｇａｔｉｖｅ）物質、ＭＮＧ（ｍｕ  ｎｅｇａｔｉｖｅ）物質、ＤＮＧ（ｄｏｕｂｌｅ  ｎｅｇａｔｉｖｅ）物質、ＮＲＩ（ｎｅｇａｔｉｖｅ  ｒｅｆｒａｃｔｉｖｅ  ｉｎｄｅｘ）物質、ＬＨ（ｌｅｆｔ−ｈａｎｄｅｄ）物質などに分類される。
【００８３】
すでに公知の内容であるが、理解の便利のために関連用語について記述する。全ての物質は固有の透磁率（Ｍｕ）及び誘電率（ｅｐｓｉｌｏｎ）を有する。透磁率は該当物質で所定の磁界（ｍａｇｎｅｔｉｃ  ｆｉｅｌｄ）に対して発生する磁束密度（ｍａｇｎｅｔｉｃ  ｆｌｕｘ  ｄｅｎｓｉｔｙ）と真空中で所定の磁界に対して発生する磁束密度の比を意味する。そして、誘電率は、該当物質で所定の電界（ｅｌｅｃｔｒｉｃ  ｆｉｅｌｄ）に対して発生する電束密度（ｅｌｅｃｔｒｉｃ  ｆｌｕｘ  ｄｅｎｓｉｔｙ）と真空中で所定の電界に対して発生する電束密度の比を意味する。透磁率及び誘電率は所定の周波数又は所定の波長で該当物質の伝搬定数を決定し、透磁率及び誘電率によってその物質の電磁気特性が決定される。特に、自然界に存在しない誘電率又は透磁率を有し、人工的に設計された物質をメタ物質といい、メタ物質は、例えば比較的大きい波長領域又は比較的低い周波数領域でも簡単に（即ち、物質のサイズが大きく変わらなくても）共振状態に置かれる。
【００８４】
図８〜図１４は共振器の多様な実施形態を示す。
【００８５】
図８は、２次元構造の共振器８００を示す図である。
【００８６】
図示したように、２次元構造の共振器８００は、例えば第１信号導体部分８１１、第２信号導体部分８１２、及びグラウンド導体部分８１３を含む伝送線路、キャパシタ８２０、整合器８３０、及び導体８４１、８４２を備える。
【００８７】
キャパシタ８２０は、伝送線路で第１信号導体部分８１１と第２信号導体部分８１２との間の位置に直列に挿入され、それによって電界はキャパシタ８２０に閉じ込められる。一実施形態において、伝送線路は、伝送線路の上部に少なくとも１つの導体、伝送線路の下部に少なくとも１つの導体を含み、上部にある導体を介して電流が流れ、下部にある導体は電気的にグラウンドされる。本明細書では伝送線路の上部にある導体を第１信号導体の部分８１１と第２信号導体の部分８１２に分類して呼び、伝送線路の下部にある導体をグラウンド導体部分８１３と呼ぶ。
【００８８】
図８に示すように、共振器８００は概略２次元構造の形態を有するように構成される。伝送線路は、伝送線路の上部に第１信号導体部分８１１及び第２信号導体部分８１２を含み、伝送線路の下部にグラウンド導体部分８１３を含む。図示したように、第１信号導体部分８１１及び第２信号導体部分８１２とグラウンド導体部分８１３は互いに向かい合うように配置される。電流は第１信号導体部分８１１及び第２信号導体部分８１２を通じて流れる。
【００８９】
本実施形態において、第１信号導体部分８１１の一端は導体８４２に電気的に接続（即ち、短絡）され、第１信号導体部分８１１の他端はキャパシタ８２０に接続される。そして、第２信号導体部分８１２の一端は導体８４１に接続され、第２信号導体部分８１２の他端はキャパシタ８２０に接続される。即ち、第１信号導体部分８１１、第２信号導体部分８１２、グラウンド導体部分８１３、及び導体８４１、８４２が互いに接続されることによって、共振器８００は電気的に「閉鎖されたループ構造」を有する。ここで用いる「閉鎖されたループ構造」は、例えば円形構造、四角形のような電気的に閉じた多角形の構造などを含む。
【００９０】
キャパシタ８２０は伝送線路の中間部に挿入される。例えば、キャパシタ８２０は第１信号導体部分８１１と第２信号導体部分８１２との間の空間に挿入される。キャパシタ８２０は、例えば集中定数素子（ｌｕｍｐｅｄ  ｅｌｅｍｅｎｔ）及び分布定数素子（ｄｉｓｔｒｉｂｕｔｅｄ  ｅｌｅｍｅｎｔ）などで構成される。他の実施形態において、分布定数素子として構成される分布定数型のキャパシタは、ジグザグ形態の導体ラインとその導体ラインとの間に存在する比較的高い誘電率を有する誘電体を含む。
【００９１】
キャパシタ８２０が伝送線路に挿入されることによって、上述したように、共振器８００はメタ物質の特性を有する。例えば、キャパシタ８２０のキャパシタンスを適切に調整することによって共振器８００は負の透磁率を有するため、共振器８００はＭＮＧ共振器と呼ばれる。キャパシタ８２０のキャパシタンスを定める前提（ｃｒｉｔｅｒｉｏｎ）は様々であり得る。例えば、共振器８００がメタ物質の特性を有する前提、共振器８００が対象周波数で負の透磁率を有する前提、共振器８００が対象周波数でゼロ次共振（Ｚｅｒｏｔｈ−Ｏｒｄｅｒ  Ｒｅｓｏｎａｎｃｅ）の特性を有する前提などがあり、上記前提のうちの少なくとも１つの前提下でキャパシタ８２０のキャパシタンスが決定される。
【００９２】
ＭＮＧ共振器８００とも称される共振器８００は、伝搬定数が「０」であるときの周波数を共振周波数として有するゼロ次共振の特性を有する。ＭＮＧ共振器８００はゼロ次共振特性を有するため、共振周波数はＭＮＧ共振器８００の物理的なサイズに対して独立的である。即ち、ＭＮＧ共振器８００は、キャパシタ８２０を適切に設計することで、ＭＮＧ共振器８００の物理的なサイズを実質的に変更せずに共振周波数を十分に変更することができる。
【００９３】
近接フィールドにおいて、例えば電界は伝送線路に挿入されたキャパシタ８２０に集中するため、キャパシタ８２０によって近接フィールドでは磁界が顕著（ｄｏｍｉｎａｎｔ）になる。一実施形態において、ＭＮＧ共振器８００は集中素子のキャパシタ８２０を用いて比較的高いＱ−ファクター（Ｑ−Ｆａｃｔｏｒ）を有するため、電力伝送効率を向上させることができる。例えば、Ｑ−ファクターは、無線電力送信において抵抗損失のレベル又は抵抗に対するリアクタンスの比を表し、Ｑ−ファクターが大きいほど無線電力伝送の効率は大きくなる。
【００９４】
ＭＮＧ共振器８００はインピーダンス整合のための整合器８３０を備える。例えば、整合器８３０は、ＭＮＧ共振器８００の磁界の強度を適切に決定して調整するように構成される。この構成により、電流はコネクタを介してＭＮＧ共振器８００に流入するか又はＭＮＧ共振器８００から流出する。コネクタはグラウンド導体部分８１３又は整合器８３０に接続される。他の例において、コネクタとグラウンド導体部分８１３又は整合器８３０との間で物理的な連結を用いることなくカップリングを通じて電力が伝達されてもよい。
【００９５】
図８に示すように、整合器８３０は、共振器８００のループ構造によって形成されるループ内に位置する。整合器８３０は、その物理的な形態を変更することによって共振器８００のインピーダンスを調整する。例えば、整合器８３０は、グラウンド導体部分８１３から距離ｈだけ離れた場所に位置するインピーダンス整合のための導体８３１を含む。即ち、共振器８００のインピーダンスは距離ｈを調整することによって変更される。
【００９６】
他の例において、整合器８３０を制御するコントローラが提供され、コントローラは、制御信号を生成して整合器８３０に送信し、整合器８３０の物理的な形態を変更して共振器のインピーダンスを調整する。例えば、制御信号によって整合器８３０の導体８３１とグラウンド導体部分８１３との間の距離ｈが増加するか又は減少する。コントローラは様々な要因に基づいて制御信号を生成する。
【００９７】
図８に示すように、整合器８３０は、例えば導体８３１のような受動素子で構成される。勿論、他の実施形態において、例えばダイオード、トランジスタなどのような能動素子で構成され得る。能動素子が整合器８３０に含まれる場合、能動素子はコントローラによって生成された制御信号によって駆動され、制御信号によって共振器８００のインピーダンスが調整される。例えば、能動素子が整合器８３０に含まれるダイオードである場合、ダイオードがオン状態又はオフ状態であるかに応じて共振器８００のインピーダンスが調整される。
【００９８】
他の例において、ＭＮＧ共振器８００を貫通するマグネチックコアが更に提供される。マグネチックコアは電力伝送距離を増加させる機能を行う。
【００９９】
図９は、３次元構造の共振器９００を示す図である。
【０１００】
図９を参照すると、３次元構造の共振器９００は、第１信号導体部分９１１、第２信号導体部分９１２、及びグラウンド導体部分９１３を含む伝送線路、及びキャパシタ９２０を含む。キャパシタ９２０は、たとえば伝送線路で第１信号導体部分９１１と第２信号導体部分９１２との間に直列に挿入され、電界はキャパシタ９２０に閉じ込められる。
【０１０１】
図９に示すように、共振器９００は概略３次元構造の形態を有する。伝送線路は、共振器９００の上部に第１信号導体部分９１１及び第２信号導体部分９１２を含み、共振器９００の下部にグラウンド導体部分９１３を含む。第１信号導体部分９１１及び第２信号導体部分９１２とグラウンド導体部分９１３は互いに向かい合うように配置される。この配置で、電流は、第１信号導体部分９１１及び第２信号導体部分９１２を通じてｘ方向に流れ、このような電流によって−ｙ方向に磁界Ｈ（Ｗ）が形成される。しかし、他の実施形態において、反対方向（例えば＋ｙ方向）に磁界Ｈ（Ｗ）が形成されてもよい。
【０１０２】
本実施形態において、第１信号導体部分９１１の一端は導体９４２に電気的に接続（即ち、短絡）され、第１信号導体部分９１１の他端はキャパシタ９２０に接続される。そして、第２信号導体部分９１２の一端は導体９４１に接続され、第２信号導体部分９１２の他端はキャパシタ９２０に接続される。即ち、第１信号導体部分９１１、第２信号導体部分９１２、グラウンド導体部分９１３、及び導体９４１、９４２が互いに接続されることによって、共振器９００は電気的に閉鎖されたループ構造を有する。
【０１０３】
図９に示すように、キャパシタ９２０は、第１信号導体部分９１１と第２信号導体部分９１２との間に挿入される。例えば、キャパシタ９２０は第１信号導体部分９１１と第２信号導体部分９１２との間の空間に挿入される。キャパシタ９２０は、例えば集中定数素子及び分布定数素子などを含む。他の実施形態において、分布定数素子の形態を有する分布定数型のキャパシタは、ジグザグ形態の導体ラインとその導体ラインとの間に位置する比較的高い誘電率を有する誘電体を含む。
【０１０４】
キャパシタ９２０が伝送線路に挿入されることによって、上述したように、例えば共振器９００はメタ物質の特性を有する。
【０１０５】
例えば、挿入されたキャパシタ９２０のキャパシタンスが集中定数素子である場合、共振器９００はメタ物質の特性を有する。キャパシタ９２０のキャパシタンスを適切に調整することによって共振器９００が特定の周波数帯域において負の磁気透磁率を有する場合、共振器９００はＭＮＧ共振器と呼ばれる。キャパシタ９２０のキャパシタンスを定める前提は様々である。例えば、共振器９００がメタ物質の特性を有する前提、共振器９００が対象周波数で負の透磁率を有する前提、共振器９００が対象周波数でゼロ次共振の特性を有する前提などがあり、上記前提のうちの少なくとも１つの前提下でキャパシタ９２０のキャパシタンスが決定される。
【０１０６】
ＭＮＧ共振器９００とも称される共振器９００は、伝搬定数が「０」であるときの周波数を共振周波数として有するゼロ次共振の特性を有する。ＭＮＧ共振器９００はゼロ次共振特性を有するため、共振周波数はＭＮＧ共振器９００の物理的なサイズに対して独立的である。即ち、ＭＮＧ共振器９００は、キャパシタ９２０を適切に設計することで、ＭＮＧ共振器９００の物理的なサイズを実質的に変更せずに共振周波数を十分に変更することができる。
【０１０７】
図９に示すＭＮＧ共振器９００を参照すると、近接フィールドにおいて、電界は伝送線路９１０に挿入されたキャパシタ９２０に集中するため、キャパシタ９２０によって近接フィールドでは磁界が顕著になる。そして、ゼロ次共振の特性を有するＭＮＧ共振器９００は、磁気双極子（ｍａｇｎｅｔｉｃ  ｄｉｐｏｌｅ）に類似する特性を有するため、近接フィールドでは磁界が顕著になる。キャパシタ９２０の挿入により形成される比較的少ない量の電界がそのキャパシタ９２０に集中するため、磁界は更に顕著になる。
【０１０８】
また、ＭＮＧ共振器９００はインピーダンス整合のための整合器９３０を備える。整合器９３０は、ＭＮＧ共振器９００の磁界の強度を適切に調整するように構成され、整合器９３０によってＭＮＧ共振器９００のインピーダンスが決定される。本実施形態において、電流はコネクタ９４０を介してＭＮＧ共振器９００に流入するか又はＭＮＧ共振器９００から流出する。そして、コネクタ９４０はグラウンド導体部分９１３又は整合器９３０に接続される。
【０１０９】
図９に示すように、整合器９３０は、共振器９００のループ構造によって形成されるループ内に位置する。整合器９３０は、その物理的な形態を変更することによって共振器９００のインピーダンスを調整するように構成される。例えば、整合器９３０は、グラウンド導体部分９１３から距離ｈだけ離隔された位置にインピーダンス整合のための導体９３１を含み、共振器９００のインピーダンスは距離ｈを調整することによって変更される。
【０１１０】
他の実施形態において、整合器９３０を制御するコントローラが提供される。この場合、整合器９３０はコントローラによって生成される制御信号に応じて整合器９３０の物理的な形態を変更する。例えば、制御信号に応じて整合器９３０の導体９３１とグラウンド導体部分９１３との間の距離ｈが増加するか又は減少し、これにより整合器９３０の物理的な形態が変更されることで共振器９００のインピーダンスが調整される。整合器９３０の導体９３１とグラウンド導体部分９１３との間の距離ｈは様々な方式で調整される。例えば、整合器９３０に複数の導体が含まれ、その導体の１つを適応的に活性化することによって距離ｈが調整される。代わりに又は付加的に、導体９３１の物理的な位置を上下に調整することによって距離ｈが調整される。例えば、距離ｈはコントローラの制御信号に基づいて制御され、コントローラは様々な要素を用いて制御信号を生成する。
【０１１１】
図９に示すように、整合器９３０は、例えば導体９３１のような受動素子で構成され、勿論、他の実施形態において、例えばダイオード、トランジスタなどのような能動素子で構成され得る。能動素子が整合器９３０に含まれる場合、能動素子はコントローラによって生成された制御信号によって駆動され、制御信号によって共振器９００のインピーダンスが調整される。例えば、能動素子が整合器９３０に含まれるダイオードである場合、ダイオードがオン状態又はオフ状態であるかに応じて共振器９００のインピーダンスが調整される。
【０１１２】
他の実施形態において、ＭＮＧ共振器として構成される共振器９００を貫通するマグネチックコアが更に提供される。マグネチックコアは電力伝送距離を増加させる機能を行う。
【０１１３】
図１０は、ｂｕｌｋｙ  ｔｙｐｅとして構成された無線電力送信のための共振器１０００を示す図である。
【０１１４】
図１０を参照すると、第１信号導体部分１０１１と導体１０４２は個別に製造された後で互いに接続される代わりに一体型に形成される。同様に、第２信号導体部分１０１２と導体１０４１も一体型に製造される。
【０１１５】
第２信号導体部分１０１２と導体１０４１が個別に製造された後で互いに接続される場合、継ぎ目１０５０による導体損失が発生する。そのため、本実施形態において、第２信号導体部分１０１２と導体１０４１は別途の継ぎ目を用いることなく（即ち、継ぎ目なしに）互いに接続される。従って、継ぎ目１０５０による導体損失を減らすことができる。例えば、第２信号導体部分１０１２及びグラウンド導体部分１０１３は継ぎ目なしに一体型に製造される。同様に、第１信号導体部分１０１１、導体１０４２、及びグラウンド導体部分１０１３は別途の継ぎ目なしに一体型に製造される。図１０に示すように、別途の継ぎ目なしに一体型として２以上の部分（ｐａｒｔｉｔｉｏｎ）を互いに接続する類型を「ｂｕｌｋｙ  ｔｙｐｅ」と呼ぶ。
【０１１６】
整合器１０３０は、上述の実施形態と同様の構造で提供される。
【０１１７】
図１１は、Ｈｏｌｌｏｗ  ｔｙｐｅとして構成された無線電力送信のための共振器１１００を示す図である。
【０１１８】
図１１を参照すると、共振器１１００の第１信号導体部分１１１１、第２信号導体部分１１１２、グラウンド導体部分１１１３、及び導体１１４１、１１４２のそれぞれはＨｏｌｌｏｗ  ｔｙｐｅ構造として構成される。ここで用いる「Ｈｏｌｌｏｗ  ｔｙｐｅ」という用語は、内部に空いている空間を含む構成を意味する。
【０１１９】
所定の共振周波数において、有効電流は、第１信号導体部分１１１１、第２信号導体部分１１１２、グラウンド導体部分１１１３、及び導体１１４１、１１４２のそれぞれの全ての部分ではなく、それぞれの一部分のみを介して流れるものとしてモデリングされる。即ち、所定の共振周波において、第１信号導体部分１１１１、第２信号導体部分１１１２、グラウンド導体部分１１１３、及び導体１１４１、１１４２のそれぞれの厚さが該当する表皮深さ（ｓｋｉｎ  ｄｅｐｔｈ）よりも過度に厚いことは効率的ではない。逆に、例えば過度に厚い厚さは共振器１１００の重さ又は製造費用を増加させる。
【０１２０】
従って、所定の共振周波数において、第１信号導体部分１１１１、第２信号導体部分１１１２、グラウンド導体部分１１１３、及び導体１１４１、１１４２のそれぞれの厚さは、第１信号導体部分１１１１、第２信号導体部分１１１２、グラウンド導体部分１１１３、及び導体１１４１、１１４２のそれぞれの該当する表皮深さに基づいて適切に決定される。第１信号導体部分１１１１、第２信号導体部分１１１２、グラウンド導体部分１１１３、及び導体１１４１、１１４２のそれぞれが該当する表皮深さよりも大きいながらも適切な厚さを有する場合、共振器１１００は軽くなり、共振器１１００の製造費用も減少する。
【０１２１】
例えば、図１１に示すように、第２信号導体部分１１１２の厚さは（円で示した拡大表示領域１１６０で更に図示するように）「ｄ」ｍｍに決定され、ｄは
2014505460.tif 000003
によって決定される。ここで、ｆは周波数、μは透磁率、σは導体定数を表す。一実施形態において、第１信号導体部分１１１１、第２信号導体部分１１１２、グラウンド導体部分１１１３、及び導体１１４１、１１４２が銅（ｃｏｐｐｅｒ）で作成され、５．８×１０７シーメンス／ｍ（Ｓ・ｍ−１）の導電率を有する場合、共振周波数が１０ｋＨｚにおいて表皮深さが約０．６ｍｍであり、共振周波数が１００ＭＨｚにおいて表皮深さは０．００６ｍｍである。
【０１２２】
キャパシタ１１２０及び整合器１１３０は、上述の実施形態と同様の構造で提供される。
【０１２３】
図１２は、パラレルシート（ｐａｒａｌｌｅｌ−ｓｈｅｅｔ）を用いた無線電力送信のための共振器１２００を示す図である。
【０１２４】
図１２を参照すると、パラレルシートは、共振器１２００に含まれる第１信号導体部分１２１１及び第２信号導体部分１２１２のそれぞれに適用することができる。
【０１２５】
第１信号導体部分１２１１及び第２信号導体部分１２１２のそれぞれは、完ぺきな導体ではないことから、固有の抵抗成分を有し、その抵抗成分によって抵抗損失が発生する。抵抗損失は、Ｑファクターを減少させ、カップリング効率も減少させる。
【０１２６】
第１信号導体部分１２１１及び第２信号導体部分１２１２のそれぞれにパラレルシートを適用することによって、抵抗損失を減らし、Ｑファクター及びカップリング効率を増加させることができる。円で示した拡大表示部分１２７０を参照すると、パラレルシートが適用される場合、第１信号導体部分１２１１及び第２信号導体部分１２１２のそれぞれは複数の導体ラインを含む。複数の導体ラインは並列的に配置され、第１信号導体部分１２１１及び第２信号導体部分１２１２のそれぞれの先端部分で電気的に接続（即ち、短絡）される。
【０１２７】
第１信号導体部分１２１１及び第２信号導体部分１２１２のそれぞれにパラレルシートを適用する場合、複数の導体ラインが並列的に配置されるため、導体ラインが有する抵抗成分の合計は減少する。従って、抵抗損失が減少し、Ｑファクター及びカップリング効率が増加する。
【０１２８】
グラウンド導体部分１２１３上に位置するキャパシタ１２２０及び整合器１２３０は、上述の実施形態と同様の構造で提供される。
【０１２９】
図１３は、分布定数型のキャパシタを含む無線電力送信のための共振器１３００を示す図である。
【０１３０】
図１３を参照すると、共振器１３００に含まれるキャパシタ１３２０は無線電力伝送のために構成される。集中定数素子としてのキャパシタは相対的に高い等価直列抵抗（Ｅｑｕｉｖａｌｅｎｔ  Ｓｅｒｉｅｓ  Ｒｅｓｉｓｔａｎｃｅ：ＥＳＲ）を有する。集中定数素子のキャパシタに含まれるＥＳＲを減らすために様々な理論が提案されてきた。本実施形態によると、分布定数素子としてのキャパシタ１３２０を用いることによってＥＳＲを減らすことができる。参考として、ＥＳＲによって引き起こされる損失はＱファクター及びカップリング効率を減少させる。
【０１３１】
図１３に示すように、キャパシタ１３２０は、ジグザグ構造の導体ラインで構成される。
【０１３２】
例えば、分布定数素子としてのキャパシタ１３２０を用いることによって、ＥＳＲに起因する損失を減らすことができる。また、複数の集中定数素子としてのキャパシタを並列に配置することによってＥＳＲに起因する損失を減らすことができる。なぜなら、集中定数素子としてのキャパシタのそれぞれの抵抗成分は並列接続によって小さくなるため、並列接続された集中定数素子としてのキャパシタの有効抵抗も小さくなり、従って、ＥＳＲに起因する損失が減少する。例えば、１０ｐＦのキャパシタを１つ用いる代わりに１ｐＦのキャパシタを１０個用いることによってＥＳＲに起因する損失を減らすことができる。
【０１３３】
図１４は、２次元共振器及び３次元共振器で用いられる整合器を示す図である。
【０１３４】
図１４Ａは、図８に示した２次元構造で提供される共振器８００に用いられる整合器８３０を示し、図１４Ｂは図９に示した３次元構造で提供される共振器９００に用いられる整合器９３０の一例を示す。
【０１３５】
図１４Ａを参照すると、整合器８３０は、導体８３１、導体８３２、及び導体８３３を含み、導体８３２及び導体８３３はグラウンド導体部分８１３及び導体８３１に接続される。導体８３１とグラウンド導体部分８１３との間の距離ｈにより２次元共振器のインピーダンスは決定され、導体８３１とグラウンド導体部分８１３との間の距離ｈはコントローラによって制御される。導体８３１とグラウンド導体部分８１３との間の距離ｈは様々な方式で調整することができる。例えば、導体８３１、８３２、及び８３３のいずれか１つを適応的に活性化することによって距離ｈを調整する方式、導体８３１の物理的な位置を上下に調整する方式などの様々な方式がある。
【０１３６】
図１４Ｂを参照すると、整合器９３０は、導体９３１、導体９３２、導体９３３、及び導体９４１、導体９４２を備え、導体９３２及び導体９３３はグラウンド導体部分９１３及び導体９３１に接続され、また導体９４１及び導体９４２はグラウンド導体部分９１３に接続される。導体９３１とグラウンド導体部分９１３との間の距離ｈにより３次元共振器のインピーダンスは決定され、例えば導体９３１とグラウンド導体部分９１３との間の距離ｈはコントローラによって制御される。２次元構造の共振器に含まれる整合器８３０と同様に、３次元構造の共振器９３０に含まれる整合器でも、導体９３１とグラウンド導体部分９１３との間の距離ｈは様々な方式で調整される。例えば、導体９３１、９３２、及び９３３のいずれか１つを適応的に活性化することによって距離ｈを調整する方式、導体９３１の物理的な位置を上下に調整する方式などの様々な方式がある。
【０１３７】
他の実施形態において、整合器は能動素子を含み、能動素子を用いて共振器のインピーダンスを調整する方式は上述した内容と同様である。例えば、能動素子を用いて整合器を通じて流れる電流の経路を変更することによって、共振器のインピーダンスを調整する。
【０１３８】
図１５は、図８に示した無線電力送信のための共振器８００の等価回路を示す。
【０１３９】
図８に示した無線電力送信のための共振器は図１５に示した等価回路でモデリングできる。図１５に描かれた等価回路で、ＬＲは電力伝送線路のインダクタンスを示し、ＣＬは図８の電力伝送線路の中間部に集中定数素子の形態で挿入されたキャパシタ８２０を示し、ＣＲは図８の電力伝送線路及び／又はグラウンドとの間のキャパシタンスを示す。
【０１４０】
一例で、共振器８００は零次共振特性を有する。例えば、伝搬定数が「０」である場合、共振器８００は、
2014505460.tif 000004
を共振周波数として有すると仮定する。共振周波数
2014505460.tif 000005
は下記の数式１のように表現される。数式１で、ＭＺＲはＭｕ  Ｚｅｒｏ  Ｒｅｓｏｎａｔｏｒを意味する。
【０１４１】
【数１】
2014505460.tif 000006
【０１４２】
数式１を参照すると、共振器８００の共振周波数
2014505460.tif 000007
はＬＲ／ＣＬによって決定され、共振周波数
2014505460.tif 000008
と共振器の物理的なサイズは互いに独立的である。物理的なサイズが互いに独立的であるため、共振器８００の物理的なサイズは十分に小さくなる。
【０１４３】
上述した実施形態は、多様なコンピュータ手段によって実行することができるプログラム命令の形態で具現され、プログラム命令は、コンピュータ読み取り可能な記録媒体に記録され得る。コンピュータ読み取り可能な記録媒体は、プログラム命令、データファイル、データ構造などを単独又は組み合わせたものを含み得る。記録媒体に記録されるプログラム命令は、本発明のために特別に設計して構成したものでもよく、コンピュータソフトウェア分野の技術を有する当業者にとって公知のものであり使用可能なものであってもよい。
【０１４４】
以上、本発明を実施形態及び図面によって説明したが、本発明は、上述の実施形態に限定されることなく、本発明が属する技術分野における通常の知識を有する者であれば、このような記載から多様な修正及び変形が可能である。従って、本発明の範囲は、上述の実施形態に限定されて定められるものではなく、特許請求の範囲及び特許請求の範囲と均等なものなどによって定められるものである。
【符号の説明】
【０１４５】
１００    無線電力送信装置
１１０    ソース通信部
１２０    電力生成部
１３０    ソース共振器
１４０、２７０    制御部
１５０、２４０    整合制御部
１６０、２５１    整流部
１７０    定電圧制御部
１８０    検出部
２００    無線電力受信装置
２００ａ、２００ｂ、２００ｃ、２００ｄ    第１〜第４無線電力受信装置
２１０    ターゲット通信部
２２０    ターゲット共振器
２３０    共振スイッチ
２５０    電力供給部
２５３    ＤＣ／ＤＣコンバータ
２６０    負荷経路スイッチ
２８０    負荷
４１０    無線電力送信タイミング
４２０    無線電力送信装置のデータ送信タイミング
４３０    第１無線電力受信装置の動作タイミング
４４０    第２無線電力受信装置の動作タイミング
４５０    第３無線電力受信装置の動作タイミング
８００、９００    （ＭＮＧ）共振器
８１１、９１１、１０１１、１１１１、１２１１    第１信号導体部分
８１２、９１２，１０１２、１１１２、１２１２    第２信号導体部分
８１３、９１３、１０１３、１１１３、１２１３    グラウンド導体部分
８２０、９２０、１０２０、１１２０、１２２０、１３２０    キャパシタ
８３０、９３０、１０３０、１１３０、１２３０    整合器
８３１〜８３３、８４１、８４２、９３１〜９３３、９４１〜９４３、１０４１、１０４２、１１４１、１１４２    導体
９４０    コネクタ
１０００    （ｂｕｌｋｙタイプ）共振器
１０５０    継ぎ目
１１００    （Ｈｏｌｌｏｗタイプ）共振器
１２００    （パラレルシート）共振器
１３００    共振器
【図１】
2014505460.tif 000009
【図２】
2014505460.tif 000010
【図３】
2014505460.tif 000011
【図４Ａ】
2014505460.tif 000012
【図４Ｂ】
2014505460.tif 000013
【図４Ｃ】
2014505460.tif 000014
【図４Ｄ】
2014505460.tif 000015
【図５】
2014505460.tif 000016
【図６】
2014505460.tif 000017
【図７】
2014505460.tif 000018
【図８】
2014505460.tif 000019
【図９】
2014505460.tif 000020
【図１０】
2014505460.tif 000021
【図１１】
2014505460.tif 000022
【図１２】
2014505460.tif 000023
【図１３】
2014505460.tif 000024
【図１４Ａ】
2014505460.tif 000025
【図１４Ｂ】
2014505460.tif 000026
【図１５】
2014505460.tif 000027
【国際調査報告】
2014505460.tif 000028
2014505460.tif 000029